(57)【要約】【課題】患者への負担を減らしながらより効率よく発声することができる気管切開チューブ装置を提供すること。【解決手段】気管切開チューブ２と、人工呼吸器３と、発声補助機４とを備え、気管切開チューブが、内部に呼吸気用空気流路を有するチューブ本体と、チューブ本体に設けられ膨張可能なカフと、カフに空気を注入可能なカフ用チューブと、チューブ本体に設けられ送気口から外部に空気を送気可能な発声用空気供給流路と、発声用空気供給流路に接続された発声用チューブとを備え、人工呼吸器が、呼吸気用空気流路に空気を送り込む吸気動作と、呼吸気用空気流路から空気を吸引する呼気動作とを交互に行い、発声補助機が、発声用空気供給流路に発声用チューブを介して接続され、人工呼吸器による呼気動作に合わせて発声用空気供給流路に空気を送り込む。【選択図】図１
2016026542.tif 000002
【特許請求の範囲】
【請求項１】
気管切開チューブと、人工呼吸器と、発声補助機とを備え、
前記気管切開チューブが、呼吸気用空気流路を内部に有すると共に気管内に先端側が留置されるチューブ本体と、前記チューブ本体の先端部外周に設けられ膨張可能なカフと、前記チューブ本体に取り付けられ前記カフに空気を注入可能なカフ用チューブと、前記チューブ本体に設けられ前記カフより基端側に形成された送気口から外部に空気を送気可能な発声用空気供給流路と、前記発声用空気供給流路に接続された発声用チューブとを備え、
前記人工呼吸器が、呼吸気用チューブを介して前記呼吸気用空気流路に接続され、前記呼吸気用空気流路に空気を送り込む吸気動作と、前記呼吸気用空気流路から空気を吸引する呼気動作とを交互に行い、
前記発声補助機が、前記発声用空気供給流路に前記発声用チューブを介して接続され、前記人工呼吸器による前記呼気動作に合わせて前記発声用空気供給流路に空気を送り込むことを特徴とする気管切開チューブ装置。
【請求項２】
請求項１に記載の気管切開チューブ装置において、
前記人工呼吸器が、前記呼気動作を行う際に呼気動作信号を発信可能であり、
前記発声補助機が、前記呼気動作信号を受信可能であり、受信した前記呼気動作信号に基づいて前記発声用空気供給流路に空気を送り込むことを特徴とする気管切開チューブ装置。
【請求項３】
請求項１に記載の気管切開チューブ装置において、
前記発声補助機が、前記呼吸気用チューブに設けられ前記呼吸気用チューブ内の圧力を測定可能な圧力センサを備え、前記圧力センサで測定した圧力に基づいて前記発声用空気供給流路に空気を送り込むことを特徴とする気管切開チューブ装置。
【請求項４】
請求項１から３のいずれか一項に記載の気管切開チューブ装置において、
前記チューブ本体が、中間部分に屈曲部を有した屈曲形状とされ、先端部が肺側に向けて気管内に留置され、
前記発声用空気供給流路の送気口が、気管内に留置された際に前記屈曲部の口腔側に向いた位置に形成されていることを特徴とする気管切開チューブ装置。
【請求項５】
請求項４に記載の気管切開チューブ装置において、
前記発声用空気供給流路の送気口が、前記屈曲部の上部から口腔側に向けて突出した凸部に形成されていることを特徴とする気管切開チューブ装置。
【請求項６】
請求項１から５のいずれか一項に記載の気管切開チューブ装置において、
前記チューブ本体の前記カフと前記送気口との間に形成された吸引口に接続された吸引用チューブを備えていることを特徴とする気管切開チューブ装置。
【請求項７】
請求項１から６のいずれか一項に記載の気管切開チューブ装置において、
前記発声用空気供給流路の先端に、前記送気口に向けて上方に傾斜する誘導壁が形成されていることを特徴とする気管切開チューブ装置。
【請求項８】
請求項１から６のいずれか一項に記載の気管切開チューブ装置において、
前記発声用空気供給流路の内面で軸方向に直交する断面の中央に、内側に突出して少なくとも前記送気口の近傍まで前記発声用空気供給流路に沿って延在した突条部が形成されていることを特徴とする気管切開チューブ装置。
【請求項９】
請求項８に記載の気管切開チューブ装置において、
前記送気口が、前記発声用空気供給流路の先端側の途中に設けられ、
前記発声用空気供給流路の先端部に、前記送気口の部分から前記チューブ本体の先端側に向けて形成された穴部が形成されていることを特徴とする気管切開チューブ装置。
【発明の詳細な説明】
【技術分野】
【０００１】
外部より発声用空気等を上部気道に送ることによって気管切開手術を行った患者の発声を補助することが可能な気管切開チューブ装置に関する。
【背景技術】
【０００２】
従来、外部より発声用空気等を供給し、患者の発声をサポートする気管切開チューブ（いわゆるスピーチカニューレ）が知られている（例えば、特許文献１参照）。一般的な気管切開チューブは、気管切開孔より気管に挿入するためにポリ塩化ビニル製等の化学的に安定な材料のチューブを約９０度の方向に規定の半径を保った状態で曲げられた形状を有している。
【０００３】
この気管切開チューブの一方は、気管切開部から外部に露出し、気道の確保や人工呼吸器等による呼吸管理を行うために使用される。気管切開チューブの一端に人工呼吸器を接続した場合は、患者の容態によって適切な呼吸管理を行うために、気管切開チューブの内部を呼吸用空気等が吸入や排気するために、方向を交互に変えながら流れることになる。また、患者の気管内に挿入された気管切開チューブの下端側からは、気道より肺に向かう呼気や逆に肺より気道に向かう呼気の流出や流入が行われている。
【０００４】
このような気管切開チューブには、上記呼気の移動を効果的に行うために、気道と気管切開チューブとの間の隙間を閉鎖するためのカフ（プロフィールカフ）を備えている。これは、人工呼吸器等から供給される空気等の気管上部への漏出を防ぐためのもので、これを備えることにより、効率よく肺への空気等の供給や肺からの吸入を行うことができる、いわゆる陽圧換気を行うことができるようになる。
【０００５】
しかしながら、スピーチカニューレではない一般的な気管切開チューブでは、カフを装着した状態で肺が空気等を排出する際に、気道上部への呼気の排出は行われずに、人工呼吸器に排出されるために、呼気の排出を利用することによる発声ができなくなる。そのため、患者は気管切開チューブを挿入された時点より発声ができなくなり、多大なストレスが負荷されてしまうことになる。
これを改善するために考案されたものが上記スピーチカニューレである。このスピーチカニューレは、一般的な上記の気管切開チューブに発声用空気等を外部より供給できる構造を持ち、これをカフより上部の気道内に吐出させることによって発声用空気等を確保しようとするものである。
【０００６】
スピーチカニューレは、例えば図７に示すように、一般的な気管切開チューブのチューブ本体１０５内部に、呼気用空気等が流れる呼吸用空気流路から隔絶された空気等を流入させるいわゆる発声用サイドライン１１３を持つ二重構造になっている。スピーチカニューレにおいても人工呼吸器等による呼吸管理が行われ、肺より空気等を排出しスピーチカニューレ内部を人体より外に向かって流れているときに、発声用サイドライン１１３中を発声用空気等が人体の内部側に向かって流れ、カフ１１６の上部付近に備えられた送気口１１３ａより気道内に流出し、発声に利用される構造になっている。また、カフ１１６の上部付近に貯留した気管分泌物等の吸引除去を行う際にも発声用サイドライン１１３は利用され、発声用空気等の供給との兼用になっている。なお、カフ１１６は、カフ用チューブ１１７の先端に接続されている。
【先行技術文献】
【特許文献】
【０００７】
【特許文献１】特開２００５−２７０３１９号公報
【発明の概要】
【発明が解決しようとする課題】
【０００８】
上記従来の技術には、以下の課題が残されている。
すなわち、従来のスピーチカニューレでは、発声用サイドラインより供給される発声用空気等を患者の発声時にタイミングに合わせて供給させることが好ましいが、患者自身が発声用空気等の供給を操作する方法では患者に負担が大きいため、自動的に呼吸のタイミングに合わせて発声用空気を供給する装置が望まれていた。
また、カフの上部に備えられた発声用空気等の送気口が、気道壁近傍のチューブ側面に設けられているものや、横方向に噴出する構造のものがあり、送気口から吐出した空気等が気道壁に直接当たることになってしまい、気道壁での肉芽形成や出血などの悪影響を与えてしまう問題があった。
また、発声用サイドラインは、チューブ内部に形成されるため、比較的細い管を利用することが多いが、細い管は大きい圧力損失等があり、発声用空気等を発声に必要な圧力を超えて供給する必要性が生じ、気道内に吐出した空気等は高い圧力による動圧を保持した状態になる。このため、患者は気道内に抵抗感を覚え、発声をスムースに行えなくなるという不都合があった。
さらに、気管切開した後に気道内に一定期間挿入された状態となるため、気道内部等の衛生管理を厳密に行う必要があるが、特にカフ上に分泌物等が貯留しやすく、発声用サイドラインの送気口をカフ上に配すると、分泌物等が送気口に流入してしまうおそれがあった。
【０００９】
本発明は、前述の課題に鑑みてなされたもので、患者への負担を減らしながらより効率よく発声することができる気管切開チューブ装置を提供することを目的とする。
【課題を解決するための手段】
【００１０】
本発明は、前記課題を解決するために以下の構成を採用した。すなわち、第１の発明に係る気管切開チューブ装置は、気管切開チューブと、人工呼吸器と、発声補助機とを備え、前記気管切開チューブが、呼吸気用空気流路を内部に有すると共に気管内に先端側が留置されるチューブ本体と、前記チューブ本体の先端部外周に設けられ膨張可能なカフと、前記チューブ本体に取り付けられ前記カフに空気を注入可能なカフ用チューブと、前記チューブ本体に設けられ前記カフより基端側に形成された送気口から外部に空気を送気可能な発声用空気供給流路と、前記発声用空気供給流路に接続された発声用チューブとを備え、前記人工呼吸器が、呼吸気用チューブを介して前記呼吸気用空気流路に接続され、前記呼吸気用空気流路に空気を送り込む吸気動作と、前記呼吸気用空気流路から空気を吸引する呼気動作とを交互に行い、前記発声補助機が、前記発声用空気供給流路に前記発声用チューブを介して接続され、前記人工呼吸器による前記呼気動作に合わせて前記発声用空気供給流路に空気を送り込むことを特徴とする。
【００１１】
この気管切開チューブ装置では、発声補助機が、発声用空気供給流路に発声用チューブを介して接続され、人工呼吸器による呼気動作に合わせて発声用空気供給流路に空気を送り込むので、呼気時に自動的に発声用空気が声帯側に送り込まれることで患者に負担無く適切なタイミングで発声を行うことができる。また、この気管切開チューブ装置では、チューブ本体が、呼吸気用空気流路と、発声用空気供給流路との二重管構造を有するので、従来の発声用サイドラインに比べて、チューブ本体の断面内において発声用空気供給流路としてなるべく大きい断面積を確保することが可能になり、発声用空気をなるべく低圧力で比較的大量に送り込むこともできる。
【００１２】
第２の発明に係る気管切開チューブ装置は、第１の発明において、前記人工呼吸器が、前記呼気動作を行う際に呼気動作信号を発信可能であり、前記発声補助機が、前記呼気動作信号を受信可能であり、受信した前記呼気動作信号に基づいて前記発声用空気供給流路に空気を送り込むことを特徴とする。
すなわち、この気管切開チューブ装置では、発声補助機が、呼気動作信号を受信可能であり、受信した呼気動作信号に基づいて発声用空気供給流路に空気を送り込むので、人工呼吸器の呼吸圧出力などの呼気動作信号を利用して正確に呼気動作に合わせて発声用空気を送り込むことができる。
【００１３】
第３の発明に係る気管切開チューブ装置は、第１の発明において、前記発声補助機が、前記呼吸気用チューブに設けられ前記呼吸気用チューブ内の圧力を測定可能な圧力センサを備え、前記圧力センサで測定した圧力に基づいて前記発声用空気供給流路に空気を送り込むことを特徴とする。
すなわち、この気管切開チューブ装置では、発声補助機が、圧力センサで測定した圧力に基づいて発声用空気供給流路に空気を送り込むので、呼吸気用チューブ内の呼吸圧の変化を圧力センサで読み取って正確に呼気動作に合わせて発声用空気を送り込むことができる。なお、この装置では、人工呼吸器が呼吸圧出力などの呼気動作信号の出力機能を有していない場合で、呼吸気用チューブに圧力センサを取り付けることで、正確なタイミングで発声用空気の送気が可能になる。
【００１４】
第４の発明に係る気管切開チューブ装置は、第１から第３の発明のいずれかにおいて、前記チューブ本体が、中間部分に屈曲部を有した屈曲形状とされ、先端部が肺側に向けて気管内に留置され、前記発声用空気供給流路の送気口が、気管内に留置された際に前記屈曲部の口腔側に向いた位置に形成されていることを特徴とする。
すなわち、この気管切開チューブ装置では、発声用空気供給流路の送気口が、気管内に留置された際に屈曲部の口腔側に向いた位置に形成されているので、吐出される発声用空気が気道内壁に直接当たり難くなり、気道内壁面への影響を最小限に抑えることができる。
【００１５】
第５の発明に係る気管切開チューブ装置は、第４の発明のいずれかにおいて、前記発声用空気供給流路の送気口が、前記屈曲部の上部から口腔側に向けて突出した凸部に形成されていることを特徴とする。
すなわち、この気管切開チューブ装置では、発声用空気供給流路の送気口が、屈曲部の上部から口腔側に向けて突出した凸部に形成されているので、上方からの分泌物が送気口に流入し難くなる。特に、徐々に盛り上がったドーム状の凸部とすることで、気管切開チューブを気管に挿入する際にはスムーズに挿入することができる。
【００１６】
第６の発明に係る気管切開チューブ装置は、第１から第５の発明のいずれかにおいて、前記チューブ本体の前記カフと前記送気口との間に形成された吸引口に接続された吸引用チューブを備えていることを特徴とする。
すなわち、この気管切開チューブ装置では、チューブ本体のカフと送気口との間に形成された吸引口に接続された吸引用チューブを備えているので、分泌物等の吸引除去専用の吸引用チューブを別途設けていることで、発声用空気供給流路及び発声用チューブで分泌物等の吸引を行う必要が無くなり、発声用空気供給流路内や発声用チューブ内に分泌物等が残留することが無くなる。
【００１７】
第７の発明に係る気管切開チューブ装置は、第１から第６の発明のいずれかにおいて、前記発声用空気供給流路の先端に、前記送気口に向けて上方に傾斜する誘導壁が形成されていることを特徴とする。
すなわち、この気管切開チューブ装置では、発声用空気供給流路の先端に、送気口に向けて上方に傾斜する誘導壁が形成されているので、送り込まれた空気が誘導壁で送気口に向かう上方に誘導されることで、空気を送気口から上向きに吹き出させることができる。
【００１８】
第８の発明に係る気管切開チューブ装置は、第１から第６の発明のいずれかにおいて、前記発声用空気供給流路の内面で軸方向に直交する断面の中央に、内側に突出して少なくとも前記送気口の近傍まで前記発声用空気供給流路に沿って延在した突条部が形成されていることを特徴とする。
すなわち、この気管切開チューブ装置では、発声用空気供給流路の内面で軸方向に直交する断面の中央に、内側に突出して少なくとも送気口の近傍まで発声用空気供給流路に沿って延在した突条部が形成されているので、発声用空気供給流路の空気が突条部で左右に分かれ、左右両側から回り込んで送気口から出ることで、空気の直進成分が抑制されて上方へ吹き出し易くなる。
【００１９】
第９の発明に係る気管切開チューブ装置は、第８の発明において、前記送気口が、前記発声用空気供給流路の先端側の途中に設けられ、前記発声用空気供給流路の先端部に、前記送気口の部分から前記チューブ本体の先端側に向けて形成された穴部が形成されていることを特徴とする。
すなわち、この気管切開チューブ装置では、発声用空気供給流路の先端部に、送気口の部分からチューブ本体の先端側に向けて形成された穴部が形成されているので、突条部で左右に分離された空気が穴部で合流して互いの直進成分がさらに抑制されることで、送気口から上方へより吹き出し易くなる。
【発明の効果】
【００２０】
本発明によれば、以下の効果を奏する。
すなわち、本発明に係る気管切開チューブ装置によれば、発声補助機が、発声用空気供給流路に発声用チューブを介して接続され、人工呼吸器による呼気動作に合わせて発声用空気供給流路に空気を送り込むので、呼気時に自動的に発声用空気が声帯側に送り込まれることで患者に負担無く適切なタイミングで発声を行うことができる。したがって、本発明によれば、患者がスピーチカニューレを装着していながら満足する状態で発声することが可能になる。
【図面の簡単な説明】
【００２１】
【図１】本発明に係る気管切開チューブ装置の第１実施形態において、装置全体を示す構成図である。
【図２】第１実施形態において、気管切開チューブを示す正面図である。
【図３】図２のＡ−Ａ断面図である。
【図４】第１実施形態において、人工呼吸器による呼吸タイミング（吸気動作及び呼気動作時における空気の流量変化）と気道内圧との関係を示すグラフである。
【図５】本発明に係る気管切開チューブ装置の第２から第４実施形態において、チューブ本体を示す正面図である。
【図６】本発明に係る気管切開チューブ装置の第５から第７実施形態において、チューブ本体の基端側における呼吸気用空気流路と発声用空気流路とを示す断面図である。
【図７】本発明に係る従来例の気管切開チューブ（スピーチカニューレ）を示す正面図である。
【図８】本発明に係る気管切開チューブ装置の第８実施形態において、チューブ本体を示す縦断面図である。
【図９】第８実施形態において、チューブ本体を示す左側面図である。
【図１０】第８実施形態において、チューブ本体を示す斜視図である。
【図１１】本発明に係る気管切開チューブ装置の第９実施形態において、チューブ本体を示す縦断面図である。
【図１２】第９実施形態において、チューブ本体を示す左側面図である。
【図１３】第９実施形態において、チューブ本体を示す斜視図である。
【図１４】第９実施形態において、チューブ本体を示す上面図である。
【発明を実施するための形態】
【００２２】
以下、本発明に係る気管切開チューブ装置の第１実施形態を、図１から図４を参照しながら説明する。
本実施形態の気管切開チューブ装置１は、図１及び図２に示すように、気管切開チューブ２と、人工呼吸器３と、発声補助機４とを備えている。
【００２３】
上記気管切開チューブ２は、いわゆるスピーチカニューレであって、内部に呼吸気用空気流路５ａを有すると共に気管Ｔ内に先端側が留置されるチューブ本体５と、チューブ本体５の先端部外周に設けられ膨張可能なカフ６と、チューブ本体５に取り付けられカフ６に空気を注入可能なカフ用チューブ７と、チューブ本体５に設けられカフ６より基端側に形成された送気口８ａから外部（気道内）に空気を送気可能な発声用空気供給流路８と、発声用空気供給流路８に接続された発声用チューブ９とを備えている。
【００２４】
上記人工呼吸器３は、呼吸気用チューブ１０の他端に接続され、呼吸気用空気流路５ａに空気を送り込む吸気動作と、呼吸気用空気流路５ａから空気を吸引する呼気動作とを交互に行う機能を有している。
上記発声補助機４は、発声用空気供給流路８に発声用チューブ９を介して接続され、人工呼吸器３による呼気動作に合わせて発声用空気供給流路８に空気を送り込む機能を有している。
【００２５】
人工呼吸器３は、呼吸気用チューブ１０を介して呼吸気用空気流路５ａに接続され、呼気動作を行う際に呼気動作信号を発信可能であり、発声補助機４は、呼気動作信号を受信可能であり、受信した呼気動作信号に基づいて発声用空気供給流路８に空気を送り込む機能を有している。なお、呼吸気用チューブ１０の一端は、チューブ本体５の基端開口部（呼吸気用空気流路５ａの基端）に接続され、他端は人工呼吸器３に接続されている。また、人工呼吸器３と発声補助機４とは、呼吸器接続コード１２Ａで接続され、発声補助機４は、呼気動作信号を呼吸器接続コード１２Ａを介して受信する。
【００２６】
また、発声補助機４は、呼吸気用チューブ１０に設けられ呼吸気用チューブ１０内の圧力を測定可能な圧力センサＳを備え、圧力センサＳで測定した圧力に基づいて発声用空気供給流路８に空気を送り込む機能を有している。
なお、本実施形態では、呼気動作信号に基づいて発声用空気供給流路８に空気を送り込むか、圧力センサＳで測定した圧力に基づいて発声用空気供給流路８に空気を送り込むかを発声補助機４側で任意に選択可能になっている。また、発声補助機４は、圧力センサＳとセンサ接続コード１２Ｂで接続されている。
【００２７】
上記チューブ本体５は、図３に示すように、呼吸気用チューブ１０に接続された呼吸気用空気流路５ａと、発声用空気供給流路８との二重管構造を有している。すなわち、発声用空気供給流路８は、呼吸気用空気流路５ａと隔絶させた状態で、チューブ本体５内に一体的に形成されている。
【００２８】
また、チューブ本体５は、中間部分に屈曲部を有した屈曲形状とされ、先端部が肺側に向けて気管内に留置される。すなわち、チューブ本体５は、基端部に対して先端部が約９０度に規定の半径で折り曲げられ全体が略逆Ｌ字状とされている。チューブ本体５の先端部は、気管Ｔ内に留置された状態で肺側（下方）に向けて開口しており、基端部は、気管切開部から外部に露出される。
なお、チューブ本体５の基端部には、気管切開部にチューブ本体５を固定するためのフランジ部５ｂが形成されている。
【００２９】
発声用空気供給流路８の送気口８ａは、気管Ｔ内に留置された際に屈曲部の口腔側に向いた位置に形成されている。この発声用空気供給流路８の送気口８ａは、屈曲部の上部から口腔側に向けて突出した凸部８ｂに形成されている。すなわち、送気口８ａは、チューブ本体５の屈曲部上部に形成されたドーム状の凸部８ｂの上方側に開口して設けられ、発声用空気供給流路８に送り込まれた発声用空気が送気口８ａから声帯側（口腔側、上方）に向けて吐出されるようになっている。
【００３０】
また、本実施形態の気管切開チューブ装置１は、チューブ本体５のカフ６近傍上部に開口した吸引口１３ａに先端が接続された吸引用チューブ１３を備えている。
また、チューブ本体５には、図３に示すように、呼吸気用空気流路５ａと発声用空気流路８とが分離されて別々に内部に設けられている。なお、吸引用チューブ１３及び呼吸気用チューブ７は、チューブ本体５内の呼吸気用空気流路５ａ内に挿通されている。
【００３１】
次に、この気管切開チューブ装置１による発声用空気の送気方法について、図４を参照して説明する。
【００３２】
まず、図４に示すように、吸気動作の際には、人工呼吸器３が吸気用に空気を送り込み（流量がプラス）、逆に呼気動作の際には、人工呼吸器３が患者の呼気を吸引する（流量がマイナス）。人工呼吸器３は、この吸気動作と呼気動作とを交互に行うが、発声補助機４に対して呼吸圧出力を動作信号として送信する。この呼吸圧出力のうち、少なくとも呼気に対応する出力を呼気動作信号として発声補助機４が受信する。
発声補助機４は、受信した呼気動作信号に基づいて発声用チューブ９及び発声用空気流路８を介して発声用空気を送気口８ａから気管Ｔ内に供給する。これにより呼気のタイミングに合わせて患者は発声を行うことができる。
【００３３】
また、本実施形態の気管切開チューブ装置１では、圧力センサＳを用いて発声補助機４を動作させることも可能である。すなわち、呼吸気用チューブ１０内の呼吸気の圧力を圧力センサＳが測定し、その圧力信号を発声補助機４へ送信する。発声補助機４は、受信した圧力信号に基づいて発声用チューブ９及び発声用空気流路８を介して発声用空気を送気口８ａから気管Ｔ内に供給する。これにより呼気のタイミングに合わせて患者は発声を行うことができる。
【００３４】
例えば、図４に示すように、呼吸気の流量変化に対応して気道内圧が変化するが、同様に呼吸気用チューブ１０内の圧力も変化する。すなわち、人工呼吸器３の呼気動作時には空気の流量がマイナスになると共に気道内圧及び呼吸気用チューブ１０内の圧力が急激に低下する。この際の圧力低下を圧力センサＳによって読み取ることで、発声補助機４による発声用空気の供給を行う。
このようにして、圧力センサＳで読み取る圧力に基づいて、呼吸圧の制御や空気の圧送タイミング等を制御することで、発声に適した空気を発声補助機４から気管切開チューブ２へ送り込むことが可能になる。
【００３５】
このように本実施形態の気管切開チューブ１では、発声補助機４が、発声用空気供給流路８に発声用チューブ９を介して接続され、人工呼吸器３による呼気動作に合わせて発声用空気供給流路８に空気を送り込むので、呼気時に自動的に発声用空気が声帯側に送り込まれることで患者に負担無く適切なタイミングで発声を行うことができる。また、チューブ本体５が、呼吸気用空気流路５ａと、発声用空気供給流路８との二重管構造を有するので、従来の発声用サイドラインに比べて、チューブ本体５の断面内において発声用空気供給流路８としてなるべく大きい断面積を確保することが可能になり、発声用空気をなるべく低圧力で比較的大量に送り込むこともできる。
【００３６】
また、発声補助機４が、呼気動作信号を受信可能であり、受信した呼気動作信号に基づいて発声用空気供給流路８に空気を送り込むので、人工呼吸器３の呼吸圧出力などの呼気動作信号を利用して正確に呼気動作に合わせて発声用空気を送り込むことができる。
また、発声補助機４が、圧力センサＳで測定した圧力に基づいても発声用空気供給流路８に空気を送り込むことができるので、呼吸気用チューブ１０内の呼吸圧の変化を圧力センサＳで読み取って正確に呼気動作に合わせて発声用空気を送り込むことができる。
【００３７】
さらに、発声用空気供給流路８の送気口８ａが、気管Ｔ内に留置された際に屈曲部の口腔側に向いた位置に形成されているので、吐出される発声用空気が気道内壁に直接当たり難くなり、気道内壁面への影響を最小限に抑えることができる。
また、発声用空気供給流路８の送気口８ａが、屈曲部の上部から口腔側に向けて突出した凸部８ｂに形成されているので、上方からの分泌物が送気口８ａに流入し難くなる。特に、徐々に盛り上がったドーム状の凸部８ｂとすることで、気管切開チューブ２を気管Ｔに挿入する際にはスムーズに挿入することができる。
【００３８】
また、チューブ本体５のカフ６と送気口８ａとの間に形成された吸引口１３ａに接続された吸引用チューブ１３を備えているので、分泌物等の吸引除去専用の吸引用チューブ１３を別途設けていることで、発声用空気供給流路８及び発声用チューブ９で分泌物等の吸引を行う必要が無くなり、発声用空気供給流路８内や発声用チューブ９内に分泌物等が残留することが無くなる。
【００３９】
次に、本発明に係る気管切開チューブ装置の第２から第７実施形態について、図５及び図６を参照して以下に説明する。なお、以下の実施形態の説明において、上記実施形態において説明した同一の構成要素には同一の符号を付し、その説明は省略する。
【００４０】
第２実施形態と第１実施形態との異なる点は、第１実施形態では、ドーム状の凸部８ｂに送気口８ａが形成されているのに対し、第２実施形態では、図５の（ａ）に示すように、チューブ本体２５の屈曲部に切り込みで開けられた送気口２８ａが形成され、送気口２８ａの上方に蓋状部２８ｂが形成されている点である。この第２実施形態では、送気口２８ａの上方が蓋状部２８ｂで覆われているので、分泌物等がより送気口２８ａに入り難くなっている。
【００４１】
次に、第３実施形態と第２実施形態との異なる点は、第２実施形態では、送気口２８ａの上方が蓋状部２８ｂで覆われているのに対し、第３実施形態では、図５の（ｂ）に示すように、チューブ本体３５に蓋状部２８ｂが無く、送気口３８ａが全体的に開口している点である。この第３実施形態では、第２実施形態に比べて分泌物等が侵入しやすいが、声帯側に向けて大きく送気口３８ａが開口していることで、発声用空気を大量に声帯に向けて送り込むことが容易になる。
【００４２】
次に、第４実施形態と第１実施形態との異なる点は、第１実施形態では、ドーム状の凸部８ｂに送気口８ａが形成されているのに対し、第４実施形態では、図５の（ｃ）に示すように、チューブ本体４５の屈曲部上に上方に向けて突出して円管状の凸部４８ｂが形成され、凸部４８ｂの上端開口部が送気口４８ａとなっている点である。この第４実施形態では、声帯側に向けて突出した円管状の凸部４８ｂの上端に配された送気口４８ａから発声用空気が供給されるので、発声用空気の出射方向がより声帯側（上方）に方向付けされて気道壁への影響をさらに抑制することができる。
【００４３】
次に、第５実施形態と第１実施形態との異なる点は、第１実施形態では、チューブ本体５内において呼吸気用空気流路５ａの上に発声用空気流路８が形成されているのに対し、第５実施形態では、図６の（ａ）に示すように、チューブ本体５５が同心軸上に形成された二重管構造であり、内側の断面円形状の呼吸気用空気流路５５ａの周囲を覆うように断面円環状の発声用空気流路５８が形成されている点である。
【００４４】
また、第６実施形態では、図６の（ｂ）に示すように、チューブ本体５６において断面上部が発声用空気流路６８とされ、断面下部が呼吸気用空気流路６８とされ、発声用空気流路６８と呼吸気用空気流路６８との流路断面が同じに設定されている点で第１実施形態と異なっている。
さらに、第７実施形態では、図６の（ｃ）に示すように、第１実施形態よりも発声用空気流路７５の流路断面形状をチューブ本体７５の周方向に延ばして流路面積を大きく設定している点で第１実施形態と異なっている。
【００４５】
したがって、これら第４から第７実施形態では、第１実施形態に比べて発声用空気流路５８，６８，７５の流路断面積が大きく設定されており、発声用空気をより低圧力にて比較的大量に送り込むことができる。
【００４６】
次に、本発明に係る気管切開チューブ装置の第８及び第９実施形態について、図８及び図１４を参照して以下に説明する。
【００４７】
第８実施形態と第３実施形態との異なる点は、第３実施形態では、発声用空気供給流路の先端に送気口３８ａが単に接続されているのに対し、第８実施形態のチューブ本体８５は、図８から図１０に示すように、発声用空気供給流路８８の先端に、送気口８８ａに向けて上方に傾斜する誘導壁８８ｂが形成されている点である。
すなわち、第８実施形態では、誘導壁８８ｂに発声用空気供給流路８８内の空気が突き当たった際に、送気口８８ａに向けて空気を誘導するように傾斜している。
なお、送気口８８ａは、チューブ本体８５の下部直胴部における軸線上に配されている。また、チューブ本体８５の下部直胴部は、上部よりも外径が細く設定されている。
【００４８】
このように第８実施形態の気管切開チューブ装置では、発声用空気供給流路８８の先端に、送気口８８ａに向けて上方に傾斜する誘導壁８８ｂが形成されているので、送り込まれた空気が誘導壁８８ｂで送気口８８ａに向かう上方に誘導されることで、空気を送気口８８ａから上向きに吹き出させることができる。
【００４９】
次に、第９実施形態と第８実施形態との異なる点は、第８実施形態では、発声用空気供給流路８８の軸方向に直交する断面形状が略三日月形状であるのに対し、第９実施形態のチューブ本体９５は、図１１から図１４に示すように、発声用空気供給流路９８の軸方向に直交する断面形状が、左右に比べて中央部が狭くなった形状とされている点である。
すなわち、第９実施形態では、発声用空気供給流路９８の内面で軸方向に直交する断面の中央に、内側に突出して少なくとも送気口９８ａの近傍まで発声用空気供給流路９８に沿って延在した突条部９８ｃが形成されている。
【００５０】
また、第９実施形態では、送気口９８ａが、発声用空気供給流路９８の先端側の途中に設けられ、発声用空気供給流路９８の先端部に、送気口９８ａの部分からチューブ本体９５の先端側に向けて形成された穴部９８ｂが形成されている。
第９実施形態では、発声用空気供給流路９８に送り込まれた空気が、図１４に示すように、突条部９８ｃによって左右に分離し、左右から送気口９８ａに向かうと共に、一部は穴部９８ｂにまで回り込み、左右の流れが衝突して上方の送気口９８ａに向かう。なお、図１４において、空気の流れを二点鎖線の矢印で簡易的に図示している。
【００５１】
なお、チューブ本体９５には、基端にカフ用チューブ７が接続されると共に先端がカフ６に接続されるカフ用流路９７と、基端が吸引用チューブ１３に接続されると共に先端がチューブ本体９５の下部に形成された吸引口１３ａに接続された吸引用流路９３とが一体成形で形成されている。すなわち、本実施形態では、カフ用チューブ７と吸引用チューブ１３とをチューブ本体９５の内部奥まで挿入する必要がなく、カフ用流路９７がカフ用チューブ７の延長として機能し、吸引用流路９３が吸引用チューブ１３の延長として機能する。
【００５２】
このように第９実施形態の気管切開チューブ装置では、発声用空気供給流路９８の内面で軸方向に直交する断面の中央に、内側に突出して少なくとも送気口９８ａの近傍まで発声用空気供給流路９８に沿って延在した突条部９８ｃが形成されているので、発声用空気供給流路９８の空気が突条部９８ｃで左右に分かれ、左右両側から回り込んで送気口９８ａから出ることで、空気の直進成分が抑制されて上方へ吹き出し易くなる。なお、突条部９８ｃの突出量を大きく設定し、突条部９８ｃが発声用空気供給流路９８を完全に左右に分離していても構わない。
【００５３】
また、発声用空気供給流路９８の先端部に、送気口９８ａの部分からチューブ本体９５の先端側に向けて形成された穴部９８ｂが形成されているので、突条部９８ｃで左右に分離された空気が穴部９８ｂで合流して互いの直進成分がさらに抑制されることで、送気口９８ａから上方へより吹き出し易くなる。
【００５４】
なお、本発明の技術範囲は上記各実施形態に限定されるものではなく、本発明の趣旨を逸脱しない範囲において種々の変更を加えることが可能である。
【００５５】
例えば、上記各実施形態では、発声用チューブ及び発声用空気流路を介して発声用空気を送気口から気道内に供給するが、この発声用空気に霧化した殺菌水（微酸性電解水）を混入させても構わない。この場合、気管切開チューブ内部やカフ上面付近の衛生状態を良好に保つことが可能になる。
また、上記各実施形態では、上述したように発声用空気流路をチューブ本体に一体的に形成することが好ましいが、チューブ本体内に発声用チューブに接続されたチューブを取り付けて発声用空気流路としても構わない。
【符号の説明】
【００５６】
１…気管切開チューブ装置、２…気管切開チューブ、３…人工呼吸器、４…発声補助機、５，２５，３５，４５，５５，６５，７５，８５，９５，１０５…チューブ本体、５ａ，５５ａ，６５ａ，７５ａ…呼吸気用空気流路、６…カフ、７…カフ用チューブ、８，５８，６８，７８，８８，９８…発声用空気供給流路、８ａ、２８ａ，３８ａ，４８ａ，８８ａ，９８ａ…発声用空気供給流路の送気口、８ｂ，２８ｂ，４８ｂ…凸部、９…発声用チューブ、１０…呼吸気用チューブ、１３…吸引用チューブ、１３ａ，９３ａ…吸引口、８８ｂ…誘導壁、９８ｂ…穴部、９８ｃ…突条部、Ｓ…圧力センサ、Ｔ…気管
【図１】
2016026542.tif 000003
【図２】
2016026542.tif 000004
【図３】
2016026542.tif 000005
【図４】
2016026542.tif 000006
【図５】
2016026542.tif 000007
【図６】
2016026542.tif 000008
【図７】
2016026542.tif 000009
【図８】
2016026542.tif 000010
【図９】
2016026542.tif 000011
【図１０】
2016026542.tif 000012
【図１１】
2016026542.tif 000013
【図１２】
2016026542.tif 000014
【図１３】
2016026542.tif 000015
【図１４】
2016026542.tif 000016